(57)【要約】  メディアアイテム及びメディアファイルへのアクセスを提供し、メディアファイル内でメディアアイテムを特定するためのブラウジング及び検索機能を提供するメディア管理ユーザインターフェース（ＵＩ）アプリケーション。本発明のＵＩアプリケーションは、メディアファイルの種々のレベル又はカテゴリーの階層表示に基づき、従って、このアプリケーションは、小さなディスプレイを有するポータブルデジタルデバイスに比類なく好適である。メディアファイルレベルの階層表示によって、ユーザはレベル間を容易にブラウズし、所要のメディアファイルを識別し、所要のメディアアイテムを特定し表示することができる。更に本発明のＵＩアプリケーションは、メディアファイル及びメディアアイテムに関連付けられている情報に基づいて行われるキーワード検索を可能にする簡単起動検索機能を提供する。従って、本アプリケーションは、ユーザにとって極めて使い易い方法で検索結果の視覚的表示を提供し、これによってユーザは、検索結果を効率的にブラウズして所要のメディアアイテムを位置付けることができる。【選択図】図１３【特許請求の範囲】
【請求項１】
デジタルデバイスのディスプレイ上でメディアアイテムへのアクセスを可能にするためのユーザインターフェース・アプリケーションであって、
前記アプリケーションは、内部にコンピュータ可読プログラム命令を組み込んだコンピュータ可読記憶媒体を含み、
前記コンピュータ可読プログラム命令が、
各々が１つ又はそれ以上のメディアアイテムアイコンを含む１つ又はそれ以上のメディアアイテム分類レベルのメディア管理ビューを生成する第１命令と、
前記メディアアイテム分類レベルのうちの１つのレベル内でフォーカスポイントを定めるための第２命令であって、前記フォーカスポイントが、前記ビュー内の固定ポジションを有し、前記アイコンに関連した前記１つ又はそれ以上のメディアアイテムの表示用に前記レベル内に前記１つ又はそれ以上のアイコンのうちの１つを選択する第２命令と、
を含むユーザインターフェース・アプリケーション。
【請求項２】
１つ又はそれ以上のメディアアイテム分類レベルの前記メディア管理ビューを生成するための前記第１命令が更に、１つ又はそれ以上のメディアアイテムアイコンを各々が含む水平方向のバーとして前記レベルを定めることを特徴とする請求項１に記載のユーザインターフェース・アプリケーション。
【請求項３】
１つ又はそれ以上のメディアアイテム分類レベルの前記メディア管理ビューを生成するための前記第１命令が更に、タイムラインアイコンを含む第１レベルを提供することを特徴とする請求項１に記載のユーザインターフェース・アプリケーション。
【請求項４】
１つ又はそれ以上のメディアアイテム分類レベルの前記メディア管理ビューを生成するための前記第１命令が更に、タイムラインに沿って表示される１つ又はそれ以上のメディアアイテムアイコンを含む前記タイムラインアイコンに関連した第２レベルを提供することを特徴とする請求項３に記載のユーザインターフェース・アプリケーション。
【請求項５】
１つ又はそれ以上のメディアアイテム分類レベルの前記メディア管理ビューを生成するための前記第１命令が更に、メディアアルバムアイコンを含む第１レベルを提供することを特徴とする請求項１に記載のユーザインターフェース・アプリケーション。
【請求項６】
１つ又はそれ以上のメディアアイテム分類レベルの前記メディア管理ビューを生成するための前記第１命令が更に、１つ又はそれ以上のメディアアルバム固有のアイコンを含むメディアアルバムアイコンに関連した第２レベルを提供することを特徴とする請求項５に記載のユーザインターフェース・アプリケーション。
【請求項７】
前記第２命令が、１つ又はそれ以上のメディアアルバム固有のアイコンを含む前記メディアアルバムアイコンに関連した第２レベルを提供し、前記メディアアルバム固有のアイコンが、メディアアイテムに関連したメタデータによって定義されることを特徴とする請求項６に記載のユーザインターフェース・アプリケーション。
【請求項８】
前記第２命令が、１つ又はそれ以上のメディアアルバム固有のアイコンを含む前記メディアアルバムアイコンに関連した第２レベルを提供し、前記メディアアルバム固有のアイコンが、ユーザの好みによって定義されることを特徴とする請求項６に記載のユーザインターフェース・アプリケーション。
【請求項９】
前記第２命令が、１つ又はそれ以上のメディアアルバム固有のアイコンを含む前記メディアアルバムアイコンに関連した第２レベルを提供し、前記メディアアルバム固有のアイコンの１つが、ユーザの好みのメディアアルバムとして定義されることを特徴とする請求項８に記載のユーザインターフェース・アプリケーション。
【請求項１０】
１つ又はそれ以上のメディアアイテム分類レベルのメディア管理ビューを生成するための前記第１命令が更に、人アイコンを含む第１レベルを提供することを特徴とする請求項１に記載のユーザインターフェース。
【請求項１１】
１つ又はそれ以上のメディアアイテム分類レベルのメディア管理ビューを生成するための前記第１命令が更に、１つ又はそれ以上の人固有のアイコンを含む前記人アイコンに関連した第２レベルを提供し、各人固有のアイコンが、１つ又はそれ以上の人固有のメディアアイテムに関連付けられていることを特徴とする請求項１０に記載のユーザインターフェース・アプリケーション。
【請求項１２】
前記ビュー内の固定ポジションを有し、前記アイコンに関連した前記１つ又はそれ以上のメディアアイテムの表示のために前記レベル内の前記１つ又はそれ以上のアイコンの１つを選択する前記フォーカスポイントを前記メディアアイテム分類レベルのうちの１つのレベル内で定めるための前記第２命令が更に、前記ディスプレイの垂直中心線と位置合わせされるように前記フォーカスポイントを定めることを特徴とする請求項１に記載のユーザインターフェース・アプリケーション。
【請求項１３】
前記第２命令が更に、最上位のメディアアイテム分類レベルの水平中心線に位置合わせされるように前記フォーカスポイントの固定ポジションを定めることを特徴とする請求項１に記載のユーザインターフェース・アプリケーション。
【請求項１４】
前記第２命令が更に、前記ディスプレイの垂直中心線と位置合わせされ、前記最上位のメディアアイテム分類レベルの水平中心線と位置合わせされ、且つ前記垂直中心線と前記水平中心線との交点に位置付けられるように前記フォーカスポイントを定めることを特徴とする請求項１に記載のユーザインターフェース・アプリケーション。
【請求項１５】
前記第２命令が更に、前記ディスプレイの垂直中心線と位置合わせされ、前記ディスプレイの高さの一定比率上に配置された前記メディアアイテム分類レベルの水平中心線と位置合わせされ、且つ前記垂直中心線と前記水平中心線との交点に位置付けられるように前記フォーカスポイントを定めることを特徴とする請求項１に記載のユーザインターフェース・アプリケーション。
【請求項１６】
前記レベル内の前記１つ又はそれ以上のメディアアイテムアイコンを前記フォーカスポイントにスクロールするための第３命令を更に含む請求項１に記載のユーザインターフェース・アプリケーション。
【請求項１７】
前記スクロールされたレベルの１つからのメディアアイテムアイコンが前記フォーカスポイントにスクロールされるように、前記１つ又はそれ以上のメディアアイテム分類レベルをスクロールするための第３命令を更に含む請求項１に記載のユーザインターフェース・アプリケーション。
【請求項１８】
前記レベル内の前記１つ又はそれ以上のメディアアイテムアイコンを前記フォーカスポイントに移動させるために第１方向にスクロールし、更に別のレベルからのメディアアイテムアイコンを前記フォーカスポイントに移動させるために第２方向にスクロールするための第３命令を更に含む請求項１に記載のユーザインターフェース・アプリケーション。
【請求項１９】
第１レベル内の前記１つ又はそれ以上のメディアアイテムアイコンを前記フォーカスポイントに移動させるために第１方向にスクロールし、更に第２レベルからのメディアアイテムアイコンを前記フォーカスポイントに移動させるために第２方向にスクロールするための第３命令を更に含む請求項１に記載のユーザインターフェース・アプリケーション。
【請求項２０】
前記第２レベルは、前記フォーカスポイントを通過するように配置され、前記第１レベルは、前記第２レベルの下に隣接して配置されることを特徴とする請求項１９に記載のユーザインターフェース・アプリケーション。
【請求項２１】
前記第１レベルでは、前記フォーカスポイントにおいて以前あったメディアアイテムアイコンは、前記フォーカスポイントの下に隣接して配置されることを特徴とする請求項２０に記載のユーザインターフェース・アプリケーション。
【請求項２２】
前記アイコンに関連した前記１つ又はそれ以上のメディアアイテムの表示のために前記１つ又はそれ以上のアイコンの１つを選択する、前記第１メディアアイテム分類レベル内の固定ポジションを有するフォーカスポイントを定めるための前記第２命令が更に、前記ディスプレイの垂直中心線と位置合わせされた拡大表示ウィンドウとして前記表示を定めることを特徴とする請求項１に記載のユーザインターフェース・アプリケーション。
【請求項２３】
前記拡大表示ウィンドウは、前記フォーカスポイントと位置合わせされた固定ポジションを有することを特徴とする請求項２２に記載のユーザインターフェース・アプリケーション。
【請求項２４】
１つ又はそれ以上のメディアアイテムアイコンを各々が含む１つ又はそれ以上のメディアアイテム分類レベルのメディア管理ビューを生成するための前記第１命令が更に、前記フォーカスポイントを占める選択されたアイコンを有する第１レベルと、前記１つ又はそれ以上のアイコンが前記第１レベル内の前記選択されたアイコンに関連付けられている第２レベルとを生成する段階を更に含む請求項１に記載のユーザインターフェース・アプリケーション。
【請求項２５】
第１レベルと第２レベルを生成するための前記第１命令が、前記第１レベル内の前記選択されたアイコンを起動して前記第１レベルから前記第２レベルにスクロールし、前記フォーカスポイントを占める第２レベルメディアアイコンを提供するための命令を更に含むことを特徴とする請求項２４に記載のユーザインターフェース・アプリケーション。
【請求項２６】
前記第１レベルは、前記第２レベルの下で隣接して移動されることを特徴とする請求項２５に記載のユーザインターフェース・アプリケーション。
【請求項２７】
前記メディア管理ビューと共に表示される検索ウィンドウを起動するための第３命令を更に含む請求項１に記載のユーザインターフェース・アプリケーション。
【請求項２８】
前記検索結果に関連したメディアアイテムアイコンを含む検索結果を検索結果レベルで表示するための第４命令を更に含むことを特徴とする請求項２７に記載のユーザインターフェース・アプリケーション。
【請求項２９】
前記第４命令は更に、前記検索結果レベル内で前記フォーカスポイントを定める段階と、検索結果情報を表示するために前記検索結果レベル内の一般的なアイコンを選択する段階とを提供することを特徴とする請求項２８に記載のユーザインターフェース・アプリケーション。
【請求項３０】
デジタルデバイス上でメディアアイテムを特定するためのユーザインターフェース・アプリケーションであって、前記アプリケーションは、内部にコンピュータ可読プログラム命令を組み込んだコンピュータ可読記憶媒体を含み、
前記コンピュータ可読プログラム命令が、
前記デジタルデバイスのディスプレイ上に検索入力フィールドを生成するための第１命令と、
各々が検索結果メディアアイテムに関連付けられている１つ又はそれ以上のアイコンを含む検索結果レベルを生成するための第２命令と、
を含むユーザインターフェース・アプリケーション。
【請求項３１】
前記デジタルデバイスのディスプレイ上に検索入力フィールドを生成するための前記第１命令が更に、１つ又はそれ以上のメディアアイテムアイコンを各々が含む１つ又はそれ以上のメディアアイテム分類レベルを有するメディア管理ビューをオーバーレイすることとして定められることを特徴とする請求項３０に記載のユーザインターフェース・アプリケーション。
【請求項３２】
前記第１命令が更に、前記検索入力フィールドをキーワード検索入力フィールドとして更に定めることを特徴とする請求項３０に記載のユーザインターフェース・アプリケーション。
【請求項３３】
各々が検索結果メディアアイテムに関連付けられている１つ又はそれ以上のアイコンを含む検索結果レベルを生成するための前記第２命令が更に、前記検索結果レベルを水平方向のバーとして定めることを特徴とする請求項３０に記載のユーザインターフェース・アプリケーション。
【請求項３４】
各々が検索結果メディアアイテムに関連付けられている１つ又はそれ以上のアイコンを含む検索結果レベルを生成するための前記第２命令が更に、前記検索結果の初期表示時に前記ディスプレイ内のフォーカスポイントに位置付けられた検索結果情報アイコンを提供するための命令を含むことを特徴とする請求項３０に記載のユーザインターフェース・アプリケーション。
【請求項３５】
前記検索結果の初期表示時に前記ディスプレイ内のフォーカスポイントに位置付けられた検索結果情報アイコンを提供するための前記第２命令が更に、前記検索結果情報アイコンが前記フォーカスポイントに位置付けられたときに表示される検索結果情報ウィンドウを提供することを特徴とする請求項３４に記載のユーザインターフェース・アプリケーション。
【請求項３６】
前記検索結果情報アイコンが前記フォーカスポイントに位置付けられるときに表示される表示ウィンドウを提供し、詳細な検索結果情報エントリを含める前記第２命令が更に、前記詳細な検索結果情報エントリをメディアタイプ毎の検索結果の概要として定めることを特徴とする請求項３５に記載のユーザインターフェース・アプリケーション。
【請求項３７】
詳細な検索結果情報を含む表示ウィンドウを提供するための前記第２命令が更に、前記詳細な検索結果情報エントリの１つを選択して、前記選択された詳細な検索結果情報に各々が関連付けられる１つ又はそれ以上のアイコンを含む第２検索結果レベルを提供する命令を提供することを特徴とする請求項３６に記載のユーザインターフェース・アプリケーション。
【請求項３８】
メディアファイルにアクセスするためのコンピュータ可読プログラム命令を実行する処理ユニットを備えたデジタルデバイスであって、
前記コンピュータ可読プログラム命令が、
１つ又はそれ以上のメディアアイテムアイコンを各々が含む１つ又はそれ以上のメディアアイテム分類レベルのメディア管理ビューを生成するための第１命令と、
前記メディアアイテム分類レベルのうちの１つのレベル内でフォーカスポイントを定義するための第２命令であって、前記フォーカスポイントが、前記ビュー内で固定ポジションを有し、前記アイコンに関連した前記１つ又はそれ以上のメディアアイテムの表示のために前記レベル内で前記１つ又はそれ以上のアイコンの１つを選択することを特徴とする第２命令と、
を含み、
前記デバイスが更に、
前記メディア管理ビューを表示する前記処理ユニットと通信するディスプレイと、
を備えることを特徴とするデジタルデバイス。
【請求項３９】
前記デジタルデバイスが、ポータブルデジタルデバイスであることを特徴とする請求項３８に記載のデジタルデバイス。
【請求項４０】
前記ポータブルデジタルデバイスが、モバイル電話、パーソナルデジタルアシスタント（ＰＤＡ）、画像カメラ、ビデオカメラ、音声記録及び再生デバイス、ビデオプレーヤー、ポータブルＴＶ、グローバルポジショニングシステム（ＧＰＳ）デバイス、腕時計、セットトップボックス（ＳＴＢ）、自動車ナビゲーションシステム、オン−ボードコンピュータ（例えば自動車に搭載される）、及び家庭用機器から成るグループから選択されることを特徴とする請求項３８に記載のデジタルデバイス。
【請求項４１】
第１命令を含むコンピュータ可読プログラム命令を実行する前記プロセッサが更に、１つ又はそれ以上のメディアアイテムアイコンを各々が含む水平方向のバーとして前記メディアアイテム分類レベルを定めることを特徴とする請求項３８に記載のデジタルデバイス。
【請求項４２】
コンピュータ可読プログラム命令を実行する前記プロセッサが更に、前記レベル内の前記１つ又はそれ以上のメディアアイテムアイコンを前記フォーカスポイントにスクロールするための第３命令を含むことを特徴とする請求項３８に記載のデジタルデバイス。
【請求項４３】
コンピュータ可読プログラム命令を実行する前記プロセッサが更に、前記スクロールされたレベルの１つからのメディアアイテムアイコンが前記フォーカスポイントにスクロールされるように、前記１つ又はそれ以上のメディアアイテム分類レベルをスクロールするための第３命令を更に含むことを特徴とする請求項３８に記載のデジタルデバイス。
【請求項４４】
コンピュータ可読プログラム命令を実行する前記プロセッサが更に、第１方向でスクロールして前記レベル内の前記１つ又はそれ以上のメディアアイテムアイコンを前記フォーカスポイントに移動させ、更に第２方向でスクロールして別のレベルからのメディアアイテムアイコンを前記フォーカスポイントに移動させる第３命令を更に含むことを特徴とする請求項３８に記載のデジタルデバイス。
【請求項４５】
第１命令を含むコンピュータ可読プログラム命令を実行する前記プロセッサが更に、前記フォーカスポイントを占める選択されたアイコンを有する第１レベルと、前記１つ又はそれ以上のアイコンが前記第１レベルにおける前記選択されたアイコンに関連付けられている第２レベルとを生成する命令を更に含むことを特徴とする請求項３８に記載のデジタルデバイス。
【請求項４６】
第１命令を含むコンピュータ可読プログラム命令を実行する前記プロセッサが更に、前記第１レベルの前記選択されたアイコンを起動して、前記第１レベルから前記第２レベルにスクロールして前記フォーカスポイントを占める第２レベルメディアアイコンを提供するための命令を含むことを特徴とする請求項４５に記載のデジタルデバイス。
【請求項４７】
メディアファイルにアクセスするためのコンピュータ可読プログラム命令を実行する処理ユニットを備えたデジタルデバイスであって、
前記コンピュータ可読プログラム命令が、
前記デジタルデバイスのディスプレイ上に検索入力フィールドを生成するための第１命令と、
各々が検索結果メディアアイテムに関連付けられる１つ又はそれ以上のアイコンを含む検索結果レベルを生成するための第２命令と、
を含み、
前記デバイスが更に、
前記処理ユニットと通信して、前記検索入力フィールドと結果として得られた検索入力レベルを表示するディスプレイと、
を備えることを特徴とするデジタルデバイス。
【請求項４８】
前記デジタルデバイスは、ポータブルデジタルデバイスであることを特徴とする請求項４７に記載のデジタルデバイス。
【請求項４９】
前記ポータブルデジタルデバイスが、モバイル電話、パーソナルデジタルアシスタント（ＰＤＡ）、画像カメラ、ビデオカメラ、及び音声記録並びに再生デバイスから成るグループから選択されることを特徴とする請求項４８に記載のデジタルデバイス。
【請求項５０】
第１命令を含むコンピュータ可読プログラム命令を実行する前記プロセッサが更に、１つ又はそれ以上のメディアアイテム分類レベルを有するメディア管理ビューをオーバーレイするものとして前記検索入力フィールドを定め、各レベルは、１つ又はそれ以上のメディアアイテムアイコンを含むことを特徴とする請求項４７に記載のデジタルデバイス。
【請求項５１】
第２命令を含むコンピュータ可読プログラム命令を実行する前記プロセッサが更に、前記検索結果レベルを水平方向のバーとして定めることを特徴とする請求項４７に記載のデジタルデバイス。
【請求項５２】
第２命令を含むコンピュータ可読プログラム命令を実行する前記プロセッサが更に、前記検索結果の初期表示時に、前記ディスプレイ内のフォーカスポイントに位置付けられる検索結果情報アイコンを提供するための命令を含むことを特徴とする請求項４７に記載のデジタルデバイス。
【請求項５３】
第２命令を含むコンピュータ可読プログラム命令を実行する前記プロセッサが更に、前記検索結果情報アイコンが前記フォーカスポイントに位置付けられるときに表示される表示ウィンドウを提供するための命令を含むことを特徴とする請求項５２に記載のデジタルデバイス。
【請求項５４】
第２命令を含むコンピュータ可読プログラム命令を実行する前記プロセッサが更に、前記表示ウィンドウを詳細な検索結果情報を含むものとして定めることを特徴とする請求項５３に記載のデジタルデバイス。
【請求項５５】
第２命令を含むコンピュータ可読プログラム命令を実行する前記プロセッサが更に、前記詳細な検索結果情報エントリをメディアタイプ毎の検索結果の概要として定めることを特徴とする請求項４８に記載のデジタルデバイス。
【請求項５６】
第２命令を含むコンピュータ可読プログラム命令を実行する前記プロセッサが更に、前記詳細な検索結果情報エントリの１つを選択して、１つ又はそれ以上のアイコンを含む第２検索結果レベルを提供する命令を含み、前記アイコンの各々は、前記選択された詳細な検索結果情報に関連付けられていることを特徴とする請求項５５に記載のデジタルデバイス。
【発明の詳細な説明】
【技術分野】
【０００１】
本発明は、メディアアイテムの管理、及びより詳細には、検索機能、視覚的表示、及びメディアアイテムへのアクセスを可能にするデジタル通信デバイスに通常実装されるメディア管理のためのユーザインターフェース・アプリケーションに関する。
【背景技術】
【０００２】
デジタル通信の急速な成長によって、あらゆる種類のデジタルメディアファイルが種々のタイプの無線及び有線の通信デバイス間で伝送できるようになった。例えば、セルラー又はモバイル電話は、もはや電話音声通信に限定されず、デジタルネットワーキング（すなわち、インターネット通信、テキストメッセージング、及び同様のもの）などのデジタル通信の他の手段を含むことができる。加えて、増加しているセルラー電話、並びにポータブルコンピュータ、パーソナルデータアシスタント（ＰＤＡ）、及び同様のものなどの他のモバイル無線通信デバイスは、デジタルカメラ、デジタル音声レコーダ、デジタルビデオレコーダ、及び同様のものなどのデジタル媒体を取り込み又は生成する他の手段と統合されつつある。技術の進歩により、デジタルカメラ、デジタルビデオレコーダ、デジタル音声デバイス、及び同様のものなどの他のデジタルデバイスは、デジタル通信手段を備えることが可能になった。デジタルデバイスが互いにデジタル通信する機能を益々保有するにつれて、これらのデバイス間で伝送されるデジタルメディアファイルの量は、驚くべき勢いで増加していくことになる。
【０００３】
デジタル通信機能を保有するより多くのデジタルデバイスが出現してきたことに加え、これらのデバイスのデジタル記憶容量は増加し続けている。近い将来、モバイルデジタル通信端末の大半が、ギガバイト範囲又はそれより多くの記憶容量を備えるようになり、これによってこれらのデバイスは、膨大な量のデジタルデータを記憶することができるようになる。この環境では、ビデオ、オーディオ、又は他のマルチメディアファイルなどの大きなファイルタイプの膨大な量を記憶することは、メモリ容量の観点からはもはや妨げられないことになる。
【０００４】
ポータブルデジタルデバイス、特にセルラー電話、ＰＤＡ、又は同様のものなどのハンドヘルドデジタルデバイスは、一般的にディスプレイサイズの点で制限される。例えばセルラー電話のディスプレイは通常、２００ｘ２００画素よりも小さく、現行のディスプレイサイズは一般的に約１２０ｘ１６０画素の範囲である。小さなサイズのディスプレイは、デジタルデバイスに記憶されるメディアファイルを迅速に特定しアクセスする機能を要求するユーザにとって支障となる。特に、小さなディスプレイサイズでは、全ファイルが表示されていないか或いはメディアファイルコンテンツの重要な部分が表示されていない場合にメディアファイルコンテンツを識別することが困難になる。従って、ファイルコンテンツをブラウズし、特定のメディアアイテムを特定するのが難しい場合が多い。ファイルにアクセスするための最も従来的なユーザインターフェース・アプリケーションは、フルサイズのディスプレイ用に設計されており、このため、小さなディスプレイを有するハンドヘルドポータブルデバイスへの実装の助けとはならない。
【０００５】
ポータブルデジタルデバイス上でメディアアイテムを特定しアクセスすることに関連する問題はこのようなポータブルデバイスがギガバイト範囲の記憶容量を提供する場合、将来悪化することになろう。このようなデバイスのユーザは、何十万ものメディアアイテムの記憶装置を提供する記憶ユニットの中から特定のメディアアイテムを見つけ出そうとして苛立つようになる。このような大量のメディアアイテムの中から１つのメディアアイテムを容易且つ効率的に特定するために、ユーザは、ファイルタイプ、ファイル作成日付、メディアファイルに関する事象、又は同様のものなどの多数のアイテム又はファイルに関連するパラメータに従ってメディアアイテム及びファイルを分類できる必要がある。
【発明の開示】
【０００６】
従って、小さなディスプレイを有するポータブルデジタルデバイスに特に好適なメディアファイルユーザインターフェース・アプリケーションを開発する必要性が存在する。所望のアプリケーションは、特定のメディアアイテムを特定するためにメディアファイルを効率的に且つ効果的にブラウズする機能を提供する。従って、所望のアプリケーションは、小さなディスプレイを有するデバイス上でのブラウジングを助けるような方法でメディアファイル及びメディアアイテムの表示を提示する。更に、所要のアプリケーションは、簡単起動検索機能を提供し、該機能は、メディアアイテムに関するメタデータ情報、メディアアイテムに関するユーザ記憶情報、メディアアイテム内のテキスト、又は同様のものに基づいた検索を行う能力をユーザに提供する。更に、所要のアプリケーションは、ユーザが極めて使い易く、特に小さなサイズのディスプレイに好適な形式で検索結果を提示する。
【０００７】
本発明は、メディアアイテム及びメディアファイルへのアクセスを可能にするユーザインターフェース（ＵＩ）アプリケーションを提供し、更に、メディアファイル内でメディアアイテムを特定するためのブラウジング及び検索機能を提供する。本発明のＵＩアプリケーションは、メディアファイルの種々のレベル又はカテゴリーの階層表示に基づき、従って、本アプリケーションは、小さなディスプレイを有するポータブルデジタルデバイスに比類なく好適である。メディアファイルレベルの階層表示によって、ユーザはレベル間を容易にブラウズし、所要のメディアファイルを識別し、所要のメディアアイテムを特定して表示することができる。更に、本発明のＵＩアプリケーションは、メディアファイル及びメディアアイテムに関連付けられている情報に基づいて行われるキーワード検索を提供する簡単起動検索機能を可能にする。更なる利点として、本アプリケーションは、ユーザにとって極めて使い易い方法で検索結果の視覚的表示を提供し、これによってユーザは、検索結果を効率的にブラウズして所要のメディアアイテムを特定することができる。
【０００８】
本発明の１つの実施形態において、デジタルデバイスのディスプレイ上のメディアアイテムへのアクセスを可能にするユーザインターフェース（ＵＩ）アプリケーションが定められる。本ＵＩアプリケーションは、媒体内にコンピュータ可読プログラム命令を組み込んだコンピュータ可読記憶媒体を含む。コンピュータ可読プログラム命令は、各レベルが複数のメディアアイテムアイコンを含む１つ又はそれ以上のメディアアイテム分類レベルのメディア管理ビューを生成するための第１命令と、メディアアイテム分類レベルのうちの１つのレベル内でビュー内の固定ポジションを有しアイコンに関連したメディアアイテムの表示のためにレベル内の１つのアイコンを選択するフォーカスポイントを定めるための第２命令とを含む。
【０００９】
第１命令は通常、水平方向のバーとしてビュー内に構成されるメディアアイテム分類レベルを提供する。このような構成では、バーの各々は、水平方向に表示される複数のメディアアイテムアイコンを含む。１つの実施形態において、メディアアイテム分類レベルは、ディスプレイのフォーカスポイントを占める選択されたアイコンを有する第１のレベルと、第２のレベルでのアイコンが第１のレベルでの選択されたアイコンに関連付けられる第２のレベルとを含む。このような実施形態では、第１命令は、第１レベルの選択されたアイコンを起動し、第１レベルから第２レベルにスクロールし、フォーカスポイントを占める第２レベルメディアアイコンを提供する段階を提供することができる。
【００１０】
本発明の１つの実施形態において、メディアアイテム分類レベルは、タイムラインアイコン、メディアアルバムアイコン、及び人アイコンを含むことができる第１レベルを含む。タイムラインアイコンは通常、タイムラインに沿って表示される複数のメディアアイテムアイコンを含む第２レベルに関連付けられる。これに関して、アプリケーションのユーザは、第１レベルタイムラインアイコンから第２レベルに移動しアイコン間をスクロールし、メディアアイテムが作成され、受信された時間、或いはタイムラインに含めるために刻印された日付に基づいて特定のメディアアイテムを位置付けることができる。
【００１１】
メディアアルバムアイコンは通常、複数のメディアアルバム固有のアイコンを含む第２レベルに関連付けられる。メディアアルバム固有のアイコンは、記憶されたメディアアイテムに関連するメタデータによって定めることができ、或いはユーザの好みによって定めることができる。例えば、メディアアルバム固有のアイコンは、特定の事象に関連付けることができ、アルバムは通常、事象に関連したメディアアイテムの全てを含む。メディアアルバム固有のアイコンに関連したメディアアイテムへのアクセスは、付加的なメディアアイテム分類レベルによって可能とすることができる。
【００１２】
人アイコンは通常、１つ又はそれ以上の人固有のアイコンを含む第２レベルに関連付けられる。人固有のアイコンは、特定の個人又は個人のグループに関連付けられる。人又はグループに関連したメディアアイテムへのアクセスは、付加的なメディアアイテム分類レベルによって可能とすることができる。
【００１３】
第２命令は通常、ディスプレイの垂直中心線と位置合わせされたフォーカスポイントを提供する。更に第２命令は通常、ディスプレイの垂直中心線と位置合わせすることができる拡大表示ウィンドウとして定められる表示を提供する。
【００１４】
ＵＩアプリケーションのコンピュータ可読プログラム命令は、更に、レベル内のメディアアイテムアイコンをフォーカスポイントにスクロールするための第３命令を含むことができる。或いは、第３命令は、スクロールされたレベルの１つからのメディアアイテムアイコンがフォーカスポイントにスクロールされるように１つ又はそれ以上のメディアアイテム分類レベルをスクロールすることを提供することができ、或いは、第３命令は、第１方向でスクロールさせ、レベル内の１つ又はそれ以上のメディアアイテムアイコンをフォーカスポイントに移動させることと、第２方向でスクロールさせ、メディアアイテムアイコンを別のレベルからフォーカスポイントに移動させることとを提供することができる。
【００１５】
ＵＩアプリケーションのコンピュータ可読プログラム命令は、メディア管理ビューと共に表示される検索ウィンドウを起動するための命令と、検索結果に関連したメディアアイテムアイコンを含む検索結果レベルで検索結果を表示するための命令とを更に含むことができる。更にフォーカスポイントは、検索結果レベル内で定めることができ、フォーカスポイント内での表示のために一般的なアイコンを最初に選択することができる。一般的なアイコンは通常、検索結果情報に関連付けられる。
【００１６】
本発明はまた、デジタルデバイス上でメディアアイテムを位置付けるためのユーザインターフェース（ＵＩ）アプリケーション内で具現化することができる。ＵＩアプリケーションは、媒体内にコンピュータ可読プログラム命令を組み込んだコンピュータ可読記憶媒体を含む。コンピュータ可読プログラム命令は、デジタルデバイスのディスプレイ上に検索入力フィールドを生成するための第１命令と、１つ又はそれ以上のアイコンを含む検索結果レベルを生成するための第２命令とを含み、ここで各アイコンは、検索結果メディアアイテムに関連付けられている。
【００１７】
特定の実施形態において、第１命令によって生成される検索入力フィールドは、各々が複数のメディアアイテムアイコンを含む１つ又はそれ以上のメディアアイテム分類レベルを有するメディア管理ビューをオーバーレイするように構成することができる。更に、検索入力フィールドは通常、キーワード入力フィールドになる。
【００１８】
ＵＩアプリケーションの第２命令は、バーに沿って位置付けられた検索結果アイテムアイコンを有する水平方向のバーとして検索結果レベルを定めることができる。第２命令は、検索結果レベル内のフォーカスポイントに位置付けられる検索結果情報アイコンを提供するための命令を更に含むことができる。検索結果情報アイコンは通常、検索結果の初期表示時に表示される。更に第２命令は、検索結果情報アイコンがフォーカスポイントに位置付けられるときに表示される検索結果表示ウィンドウを生成するための命令を提供することができる。検索結果表示ウィンドウは、通常選択可能なメディアファイルタイプの概要又は同様のものなどの検索結果情報エントリを含むことができる。検索結果情報エントリの選択は通常、アイコンの各々が選択された詳細な検索結果情報に関連付けられる複数のアイコンを含む第２検索結果レベルの生成をもたらす。
【００１９】
本発明の別の実施形態では、デジタルデバイスが定められる。デジタルデバイスは、メディアファイルにアクセスするためのコンピュータ可読プログラム命令を実行する処理ユニットを含む。コンピュータ可読プログラム命令は、１つ又はそれ以上のメディアアイテム分類レベルのメディア管理ビューを生成するための第１命令を含む。レベルの各々は、１つ又はそれ以上のメディアアイテムアイコンを含む。コンピュータ可読プログラム命令は、更に、メディアアイテム分類レベルのうちの１つのレベル内でフォーカスポイントを定めるための第２命令を含み、ここでフォーカスポイントは、ビュー内の固定ポジションを有し、アイコンに関連した１つ又はそれ以上のメディアアイテムの表示のためにレベル内の１つ又はそれ以上のアイコンの１つを選択する。デジタルデバイスは、更に、メディア管理ビューを表示する処理ユニットと通信するディスプレイを含む。デジタルデバイスは、小さなサイズのディスプレイを有するハンドヘルドデジタルデバイスなどのポータブルデジタルデバイスとすることができる。実施可能なポータブルデジタルデバイスの実施例には、モバイル電話、パーソナルデジタルアシスタント（ＰＤＡ）、画像カメラ、ビデオカメラ、音声記録及び再生デバイス、ビデオプレーヤー、ポータブルテレビ、グローバルポジショニングシステム（ＧＰＳ）デバイス、腕時計、又は同様のものが含まれる。更に、デジタルデバイスは、例えばテレビ、セットトップボックス（ＳＴＢ）、自動車ナビゲーションシステム、オン−ボードコンピュータ（例えばカーコンピュータ）、家庭用機器、又は同様のものであるデバイスの表示を制御するための限定機能を有することができる。通常、本発明のデジタルデバイスは、電子メール、ショートメッセージサービス（ＳＭＳ）、マルチメディアメッセージサービス（ＭＭＳ）、又は同様のものなどのデジタル通信を受信することができる。しかしながら、本発明のデジタルデバイスは、デジタル通信機能を有することは必須ではない。
【００２０】
第１命令を含むコンピュータ可読プログラム命令を実行するプロセッサは更に、１つ又はそれ以上のメディアアイテムアイコンを各々が含む水平方向のバーとしてメディアアイテム分類レベルを定める。第１命令はまた、フォーカスポイントを占める選択されたアイコンを有する第１レベルと第２レベルとを生成するための命令を提供することができ、ここで第２レベルのアイコンは、第１レベルの選択されたアイコンに関連付けられている。このような実施形態では、第１命令は、第１レベルの選択されたアイコンを起動して、第１レベルから第２レベルにスクロールし、更にフォーカスポイントを占める第２レベルメディアアイコンを提供するための命令を更に含むことができる。
【００２１】
コンピュータ可読プログラム命令を実行するプロセッサは、レベル内のメディアアイテムアイコンのいずれかをフォーカスポイントにスクロールするため、或いはスクロールされたレベルの１つからのメディアアイテムアイコンがフォーカスポイントにスクロールされるようにメディアアイテム分類レベルをスクロールするための第３命令を更に含むことができる。第３命令は、第１方向でスクロールして、レベル内のメディアアイテムアイコンをフォーカスポイントに移動させる段階と、第２方向でスクロールして、別のレベルからのメディアアイテムアイコンをフォーカスポイントに移動させる段階を更に提供することができる。
【００２２】
本発明の他の実施形態において、別のデジタルデバイスが定められる。デジタルデバイスは、メディアファイルにアクセスするためのコンピュータ可読プログラム命令を実行する処理ユニットを含む。コンピュータ可読プログラム命令は、デジタルデバイスのディスプレイ上に検索入力フィールドを生成するための第１命令と、１つ又はそれ以上のアイコンを含む検索結果レベルを生成するための第２命令とを含み、ここで各アイコンは、検索結果メディアアイテムに関連付けられている。デジタルデバイスは、更に、処理ユニットと通信して、検索入力フィールドと結果として得られた検索入力レベルとを表示するディスプレイを含む。デジタルデバイスは通常、小さなサイズのディスプレイを有するハンドヘルドデジタルデバイスなどのポータブルデジタルデバイスである。実施可能なポータブルデジタルデバイスの実施例には、モバイル電話、パーソナルデジタルアシスタント（ＰＤＡ）、画像カメラ、ビデオカメラ、及び音声記録及び再生デバイスが含まれる。通常、本発明のデジタルデバイスは、電子メール、ショートメッセージサービス（ＳＭＳ）、マルチメディアメッセージサービス（ＭＭＳ）、又は同様のものなどのデジタル通信を受信することができる。しかしながら、本発明のデジタルデバイスは、デジタル通信機能を有することは必須ではない。
【００２３】
ＵＩアプリケーションによって実行されるコンピュータ可読プログラム命令は更に、１つ又はそれ以上のメディアアイテムアイコンを各々が含む１つ又はそれ以上のメディアアイテム分類レベルを有するメディア管理ビューをオーバーレイするものとして検索入力フィールドの構成を定めるように第１命令を定めることができる。第１命令は更に、通常、検索結果レベルを検索結果に関連付けられたアイコンをバー内に含む水平方向のバーとして定める。
【００２４】
ＵＩアプリケーションによって実行されるコンピュータ可読プログラム命令は更に、検索結果の初期表示時にディスプレイのフォーカスポイントに位置付けられる検索結果情報アイコンを提供するための命令を含むものとして第２命令を定めることができる。フォーカスポイントは、関心のあるアイコンを強調表示し、拡大表示ウィンドウに関心のあるアイコンに関する更なる情報を提供するディスプレイ内の固定されたポイントである。本実施形態では検索結果情報アイコンがフォーカスポイントに位置付けられる場合、表示ウィンドウは、メディアタイプ毎の検索結果の概要、或いは検索結果に関する情報の他のリスティングなどの詳細な検索結果情報を含む。このような実施形態では、デジタルデバイスのプロセッサによって実行されるＵＩアプリケーションの第２命令は、検索結果情報エントリの１つを選択し、１つ又はそれ以上のアイコンを含む第２の検索結果レベルの表示を提供するための命令を含むことができる。第２の検索結果レベルのアイコンの各々は、選択された詳細な検索結果情報に関連付けることができる。例えば、表示ウィンドウの詳細な検索結果情報がメディアタイプ情報を含む場合、ユーザは、画像ファイルの選択を選ぶことができ、第２検索結果レベルは、選択されたタイプのメディアアイテムに制限されることになる。
【００２５】
従って、本発明は、デジタルデバイスのメディアファイル及びメディアアイテムを管理するためのＵＩアプリケーションを提供する。本アプリケーションは、メディアアイテムのレベル又はカテゴリーの階層表示を利用し、これによってユーザは、レベル及びファイル間を容易にブラウズし、関心のあるメディアアイテムを特定することができる。メディアファイル及びアイテムの表示の階層的性質は、本アプリケーションを小さなサイズを有するポータブルデジタルデバイス用に特に適するものにする。更に本アプリケーションは、メディアファイル又はアイテムに関連した情報に基づいてファイル及びメディアアイテムを特定することができる簡単起動検索機能を提供する。検索機能の結果は、ユーザが関心のあるメディアアイテムを見つけるために検索結果を容易且つ効率的にブラウズできるようにするユーザにとって極めて使い易いディスプレイにおいて表示される。
【００２６】
以上、本発明を概略的に説明してきたが、ここで添付の図面について説明する。これらの図面は必ずしも縮尺通りに描かれていない。
【発明を実施するための最良の形態】
【００２７】
本発明の実施形態の全てではなくその一部が示された添付図面を参照しながら、本発明を以下に更に詳細に説明する。実際に、これらの発明は、多くの異なる形式で具現化することができ、本明細書に記載される実施形態に限定されるものと解釈すべきではなく、むしろこれらの実施形態は、この開示が適用される法的要件を満足するように提供される。同じ番号は全体を通じて同じ要素を示す。
【００２８】
本発明は、メディアファイル及びメディアアイテムへのアクセス、ブラウズ、及び検索を行うためのメディア管理ユーザインターフェース（ＵＩ）アプリケーションを提供する。このアプリケーションは、メディアアイテムのレベル又はカテゴリーの階層表示を利用し、これによってユーザが、レベル及びファイル間を容易にブラウズし、関心のあるメディアアイテムを特定することが可能となる。メディアファイル及びアイテムの表示並びに他の表示の階層的な性質により、このアプリケーションは、小さなディスプレイを有するポータブルデジタルデバイスに特に好適なものになる。更にこのアプリケーションは、メディアファイル又はアイテムに関連する情報に基づいてファイル及びメディアアイテムを特定することを可能にする簡単起動検索機能を提供する。本発明は更に、ユーザにとって極めて使い易いディスプレイに検索結果を表示する利点を提供し、該ディスプレイは、ユーザが検索結果を容易且つ効率的にブラウズして関心のあるメディアアイテムを見つけることができる。
【００２９】
図１は、本発明の実施形態によるメディア管理ＵＩアプリケーションの一般的なユーザインターフェースビュー又はスクリーンショットの実施例を示す。本発明の一般的な概念は、画像ファイル、ビデオファイル、音声ファイル、テキストファイル、ノートメッセージ、電子メール（Ｅメール）、フォルダ、アルバム、プレゼンテーション、マップ、データファイル、カレンダーエントリ、ファンクション、コマンド、アイコン、サムネイル、又は同様のものなどのメディアアイテムを本明細書ではメディアアイテム分類レベルと呼ぶレベルの階層表示でユーザに提示可能にすることである。図示の実施形態では、メディア管理ビュー１０は、第１メディアアイテム分類レベル２０を含む。第１レベル２０は、通常ユーザインターフェース階層における最も高位のレベル従って上位レベルであり、通常、ＵＩアプリケーションの起動時にユーザが最初に遭遇するレベルである。図１の図示の実施形態では第１レベルだけが見えるが、次のビューが示されると、１つのビュー内で複数のレベルを見ることができる。一般的に、ビューは１つのレベルから約３つのレベルまでをいずれかの場所に含むことができるが、１つのビュー内により多くのレベルを含むことも可能である。図示の実施形態では、レベルは、ビュー内に現れる水平方向のバーとして定義される。しかしながら、ディスプレイ内で垂直方向のバーなどの他の方式でレベルを構成することも可能であり、レベルの他の構成は、本明細書で開示される本発明の概念の範囲内である。
【００３０】
メディア管理ビューの各レベルは、１つ又はそれ以上のメディアアイテムアイコン３０を含む。図１の図示の実施形態では、第１レベル２０は、４つのメディアアイテムアイコン３０Ａ、３０Ｂ、及び３０Ｃを含む。各アイコンは、１つ又はそれ以上のメディアアイテムに関連付けられる。第１レベルのアイコンは、一般に、種々のメディア管理フォルダのルートレベルとして働く。次のレベルは、関連するサブフォルダを提供する。例えば、図示の実施形態において、第１レベルは、タイムラインに従ってメディアアイテムを分類する別のレベルへのアクセスを可能にするタイムラインアイコン３０Ａを含み、メディアアルバムアイコン３０Ｂは、ユーザ指定又はアプリケーション指定のアルバムタイトルに従ってメディアアイテムを分類する別のレベルへのアクセスを可能にし、人アイコン３０Ｃは、メディアアイテムが関連付けられている人に応じてメディアアイテムを分類する別のレベルへのアクセスを可能にする。第１レベルアイコンの図示の実施例の各々に関する更なる詳細を以下に示す。
【００３１】
図１の第１レベル２０で提示されたアイコンは単なる例証であり、従って、第１レベルは、本明細書で開示される本発明の概念から逸脱することなく他のアイコンを用いて構成することができる点に留意されたい。本発明の別の（図示されていない）実施形態では、メディアアイテム分類レベルの第１レベルはまた、始動、シャットダウン、スタンバイ、閉じる、ロック、開く、同期などのシステム及びデバイス固有の機能の別のレベルへのアクセスを可能にするシステムアイコンを含むことができる。更に、メディアアイテム分類レベルの第１レベルはまた、ファイル階層全体を通してファイルへのアクセスを可能にするファイルマネージャーアイコンを含むことができる。
【００３２】
１つの実施形態において、メディア管理ビュー１０はまた、ディスプレイ内の固定ポジションを占めるフォーカスポイント４０を定義する。フォーカスポイントの水平ポジションは、ディスプレイの垂直中心線と位置合わせすることができる。フォーカスポイントの垂直ポジションは、ディスプレイ上のメディアアイテム分類レベルの数及びポジションによって決定することができる。例えば、フォーカスポイントの垂直ポジションは、最上位のメディアアイテム分類レベルバーの水平中心線と位置合わせすることができる。加えて、メディアアイテム分類レベルバーは、ディスプレイ上に固定ポジション又は予約ポジションを有することができる。更に、メディアアイテム分類レベルの数及び垂直ロケーションは、ディスプレイのタイプ及び性能によって、及び／又はユーザインターフェース階層のタイプ及び構造によって決定され、及び／又はユーザによって選択することができる。その上、フォーカスポイントの垂直ポジションは、ディスプレイの高さのある比率として定めることができる。例えば、フォーカスポイントのレベルを表わす水平線は、ディスプレイの底部からの高さの１／３、１／４、１／５、又は他のいずれかの比率から取ることができる。或いは、フォーカスポイントは、水平方向の固定ロケーションを定めることができるだけであり、垂直ロケーションは、ディスプレイの中心線に沿って変わることができ、或いはフォーカスポイントは、垂直方向の固定ロケーションを定めることができるだけであり、水平ロケーションがディスプレイの中心線に沿って変わることができる。
【００３３】
フォーカスポイントは通常は強調表示され、縁取りされ、或いは、ユーザがフォーカスポイントの所在に関して知ることができるように他の方法で視覚的に区別される。ビュー内のレベルの１つからのアイコンの１つが、フォーカスポイントを占める。図示の実施形態では、タイムラインアイコン３０Ａがフォーカスポイント４０を占有している。ＵＩアプリケーションのユーザは、フォーカスポイントの内外にアイコンをスクロールすることができる。例えば、図示の実施形態では、ジョイスティック、マウス、キーボード入力、矢印ボタン、又は同様のものを利用して水平スクロールすることで、アイコン３０Ａ−Ｃをビュー内の左又は右のいずれかに移動させることになり、フォーカスポイントを占めるアイコンの１つを生じる。アイコンによるフォーカスポイントの占有は、アイコンに関連した別のレベルへのアクセスを可能にし、フォーカス情報ウィンドウ５０内に提示されることになるアイコンに関連した情報又はコンテンツを提供する。例えば、図示の実施形態では、ユーザは、タイムラインアイコン３０Ａに関連した別のレベルにアクセスすることができ、ユーザがメディアアルバムアイコン３０Ｂ又は人アイコン３０Ｃに関連した別のレベルにアクセスできるようにするためには、ユーザは、適切なアイコンをフォーカスポイントまでスクロールさせる必要がある。アイコンに関連した別のレベルへのアクセスを可能にすることに加えて、フォーカスポイントはまた、フォーカス情報ウィンドウ５０に表示されるアイコンに関連した情報又はアイコンに関連したメディアアイテムを提供する。例えば、図１の実施形態では、フォーカス情報ウィンドウは、フォーカスポイント４０にアイコンのタイトル（すなわち、タイムライン）及びアイコンのイラストと同様のイラストを提供する。ＵＩアプリケーションのより高いレベルでは、以下に説明されるようにフォーカス情報ウィンドウが、フォーカスポイントにおいてアイコンに関連したメディアアイテム又は複数のメディアアイテムを表示することになる。更に、始動、表示、実行、再生などのフォーカスポイントのアイコンに関連するあらゆる機能も必要に応じて指定されたキー打ち又はボタン或いはメニューコマンドによって起動することができる。フォーカスポイントと同様に、フォーカス情報ウィンドウは一般的に、ディスプレイの垂直中心線と位置合わせされたようなディスプレイ内の固定ポジションを有することになる。更にフォーカス情報ウィンドウは、フォーカスポイントに隣接させることができる。更にフォーカス情報ウィンドウは、ポータブル又はハンドヘルドデジタルデバイスのディスプレイにおいてできる限り多くの情報を表示するような大きさにし、且つ配置することができる。
【００３４】
１つの実施形態において、ＵＩアプリケーションのユーザは、フォーカスポイントにアイコンをスクロールし、アイコンに関連した別のレベルにアクセスすることができる。図１の図示の実施例では、ユーザは、ジョイスティック、マウス、キーボード入力、又は同様のものを用いて垂直方向にスクロールし、より高いレベル又はより低いレベルに移動することができる。図２は、ユーザが図１に示された第１レベルから１レベル上に移動し、詳細にはユーザが第１レベル２０内のタイムラインアイコン３０Ａからタイムラインを表わす第２レベル７０に移動したメディア管理第２レベルビュー６０の実施例を提供している。すなわち、図２の表示されたビューでは、第１レベルは第２レベルの下のポジションに移動する。ユーザが、通常はスクロールアップによって次のレベルに移動し続けることを選択する場合、前のレベルは表示ビューにおいて下方向に移動することになる。図示の第２レベルは、第２レベルからのアイコンがフォーカスポイント４０を占めるので、アクティブ又はアクセス可能なレベルと考えられ、同時にビュー内の第１レベルの図は、アクセスされた前のレベルに関する履歴情報を提供する。第１レベルでの前のアイコン（タイムラインアイコン３０Ａ）は、フォーカスポイントの下に隣接させて配置することができる。フォーカスポイントの下に隣接するポジションは、ＵＩ階層での前のステップ及び選択を示すことから、履歴フォーカスと呼ばれる。隣接するレベルの隣接するフォーカスポイントは、より広い選択履歴を示し表している。
【００３５】
第２レベルは、メディアアイテムアイコン８０Ａ、８０Ｂ、８０Ｃ、８０Ｄ、及び８０Ｅなどの１つ又はそれ以上のメディアアイテムアイコンで表わされる。第２レベルのメディアアイテムアイコンの各々は、通常、画像アイテム、ビデオファイル、音声ファイル、電子メール、ＳＭＳメッセージ、ＭＭＳメッセージ、又は同様のものなどのメディアアイテムのいずれかのタイプ或いは個々のメディアアイテムに対応する。更にアイコンは通常、第２レベルに存在し、水平スクロールすることによってディスプレイのビューに移動させることができる。図示された第２レベルでは、アイコンがタイムライン方式で配置されている。例えば、フォーカスポイント４０の左にあるアイコンは、フォーカスポイントアイコンに関連したメディアアイテムに時間的に先行したメディアアイテムを表わし、フォーカスポイントの右にあるアイコンは、フォーカスポイントアイコンに関連したメディアアイテムに時間的に後続するメディアアイテムを表わす。
【００３６】
図２の実施形態では、アイコン８０Ｄがフォーカスポイント４０を占める。アイコン８０Ｄは、対応する画像ファイルのサムネイル画像を表わす。アイコン８０Ｄに関連したフォーカス情報ウィンドウ５０は、メディアアイテムに関連した時間（この実施例では２００４年３月２日火曜日）と、対応する画像ファイルの拡大表示とを含む。隣接するウィンドウ５２及び５４は、フォーカスポイントアイコン８０Ｄに隣接するアイコン８０Ｃ及び８０Ｅに関連したメディアアイテムの一部の表示を提供する。これに関して、アイコン８０Ｅがフォーカスポイントを占めるようにユーザが第２レベルを水平方向で右にスクロールすると、アイコン８０Ｅに関連したメディアアイテム（すなわち、ＳＭＳメッセージのテキストの一部分）がフォーカス提示ウィンドウに表示されることになる。
【００３７】
ＵＩアプリケーションのユーザが、対応するメディアアイテムのフルスクリーンビューを所望する場合には、ユーザは、垂直方向上向きにスクロールし、実際には次のレベルに上方に移動し、図３に示されるフルビュー９０を提供することができる。小さなディスプレイサイズを有するハンドヘルドデジタルデバイスでは、画像のフルスクリーン表示は通常、画像を９０゜回転させ、ディスプレイの大きさに対して画像の大きさを適合させることを含むことになる。ユーザは、下向きにスクロールし、実際には第２レベルまで下方に戻ることによって図３のフルスクリーンビューから図２に示すビューに移動することができる。更にユーザは、更に下向きにスクロールし、実際には第２レベルから第１レベルにアクセスを移すことによって、図２に示すビューから図１に示すビューに移動することを選択することができる。
【００３８】
図４−８は、本発明の実施形態によるメディアアルバムフォルダに関連したメディア管理レベルの実施例を示す。例えば図４は、メディア管理ビュー１０を図示しており、第１レベル２０がアクセス可能であり、メディアアルバムアイコン３０Ｂがフォーカスポイント４０を占めている。ユーザは、一般的にはスクロール機能、詳細には垂直スクロール機能を実行することによって図４の第１レベルビュー１０から図５の第２レベルビュー６０に移動する。第２レベル７０は、メディアアルバムを表わす１つ又はそれ以上のアイコンを有する。メディアアルバムは、ユーザによって定義され、或いはメディアアイテムに関連したメタデータによって定めることができる。例えばメディアアルバムは、事象、日付、トピック、ロケーション、或いはいずれかの他のユーザ又はメタデータ指定カテゴリーに関連付けることができる。図５の図示の実施例では、アイコン１００Ａ、１００Ｂ、１００Ｃ、１００Ｄ、及び１００Ｅが示されており、１００Ｂアイコンがフォーカスポイント４０を占めている。第２レベル内から水平方向にスクロールすることで、フォーカスポイントにあるアイコンが変わり、第２レベルビューに表示される付加的なアイコンを提供することができる。フォーカスポイントを占める１００Ｂのアイコンは、フォーカス情報ウィンドウ５０に表示された情報に関連付けられている。例えば、図５の実施形態では、フォーカス情報ウィンドウは、アルバムのタイトル、アルバム内のメディアアイテムの一部のサムネイル画像、及びアルバム内のアイテムの数を含む。
【００３９】
ユーザがアルバム内の個々のアイテムへのアクセスを所望する場合、ユーザは、図５の第２レベルビュー６０から図６に示される第３レベルビュー１１０に移動する。第３レベル１２０は、メディアアルバム内の個々のメディアアイテムを表わす１つ又はそれ以上のアイコンを有することになる。図６の図示の実施例では、アイコン１３０Ａ、１３０Ｂ、１３０Ｃ、１３０Ｄ、１３０Ｅ、及び１３０Ｆが示されており、アイコン１３０Ｃがフォーカスポイント４０を占めている。第３レベル内から水平方向にスクロールすることで、フォーカスポイントのアイコンが変わり、第２レベルに存在するメディアアルバムの数に応じて、第３レベルビューに表示される付加的なメディアアイテムアイコンを提供することができる。フォーカスポイントを占める１３０Ｃアイコンは、フォーカス情報ウィンドウ５０に表示されるより大きな画像のサムネイル画像である。より大きな画像に加えて、フォーカス情報ウィンドウは、アルバムのタイトル、及びメディアアイテムのタイムスタンプなどの他の関連する情報を含むことができる。通常、アルバム内のアイテムは、時間に従って第３レベル内で配置され、例えば、時間的に最も早いメディアアイテムが最初にフォーカスポイントを占めることができ、第３レベル内を水平方向にスクロールすることで、時間的に後のメディアアイテムを表示するようにする。或いは、メディアアイテムは、アルファベット順に、或いはユーザ指定の配置の好みによって配置することができる。
【００４０】
ＵＩアプリケーションのユーザが、フォーカス情報ウィンドウ５０に示されたメディアアイテムのフルスクリーンビューを所望する場合、ユーザは、垂直方向上向きにスクロールし、実際には次のレベルまで上に移動することができる。小さなディスプレイサイズを有するハンドヘルドデジタルデバイスでは、画像のフルスクリーン表示は通常、画像を９０゜回転し、ディスプレイの大きさに対して画像の大きさを適合させることを含む。ユーザは、下向きにスクロールし、実際には第３レベルまで下に移動することによってフルスクリーンビューから図６に示された第３レベルビューに移動することができる。後続の垂直方向下向きのスクロールによって、第３レベルビューから第２レベルビュー及び第１レベルビューにビューが移動する。
【００４１】
図７及び８は、本発明の実施形態に従ってメディアアルバムがユーザのお気に入りのアルバムとして更に定義されるＵＩアプリケーションのメディア管理ビューを示す。図７は、フォーカスポイント４０を占めるお気に入りのアルバムアイコン１３０Ａを有する第２レベルビュー６０を図示している。通常、ＵＩアプリケーションは、ユーザが第１レベルメディアアルバムアイコン３０Ｂから第２レベルビューに移動するときに、お気に入りのアルバムアイコン１３０Ａが、フォーカスポイントを最初に占めるアイコンとなるように構成される。お気に入りのアルバムは、通常ユーザ指定であり、ユーザが強く関心を示すものとして、すなわちお気に入りとして優先順位を付けたメディアアイテムを含む。第２レベルビューでは、対応するフォーカス情報ウィンドウ５０が、アルバムタイトル、アルバムに含まれるアイテムの数、及び同様のものなどのお気に入りのアルバムに関する情報を提供する。
【００４２】
フォーカスポイントポジションから垂直方向にスクロールすることによって、ユーザは、図７の第２レベルビュー６０から図８の第３レベルビュー１１０に移動する。第３レベル１２０は、お気に入りのアルバムの個々のメディアアイテムを表わす１つ又はそれ以上のアイコンを有する。図８の図示の実施例では、アイコン１４０Ａ、１４０Ｂ、１４０Ｃ、及び１４０Ｄが示されており、アイコン１４０Ａがフォーカスポイント４０を占めている。第３レベル内から水平方向にスクロールすることで、フォーカスポイントのアイコンが変わり、第３レベルビューに表示される付加的なメディアアイテムアイコンが提供される。フォーカスポイントを占める１４０Ａのアイコンは、フォーカス情報ウィンドウ５０に表示されるより大きな画像のサムネイル画像である。より大きな画像に加えて、フォーカス情報ウィンドウは、アルバムのタイトル、メディアアイテムのためのタイムスタンプ、或いはいずれかの他のメタデータ情報などの他の関連する情報を含むことができる。
【００４３】
図９−１２は、本発明の実施形態による人フォルダに関連したメディア管理レベルの実施例を示す。例えば図９は、第１レベル２０がアクセス可能であり、人アイコン３０Ｃがフォーカスポイント４０を占めるメディア管理ビュー１０を示す。ユーザは、図９の第１レベルビュー１０から図１０の第２レベルビュー６０に、通常はスクロール機能、詳細には垂直スクロール機能を実行することによって移動することになる。第２レベル７０は、個々の人固有フォルダ又はグループ固有フォルダを表わす１つ又はそれ以上のアイコンを有する。通常、ＵＩアプリケーションのユーザは、人固有又はグループ固有のフォルダに含めるように人又はグループを指定する。図１０の図示の実施例では、アイコン１５０Ａ、１５０Ｂ、１５０Ｃ、１５０Ｄ、及び１５０Ｅが示され、１５０Ｄアイコンがフォーカスポイント４０を占めている。第２レベル内から水平方向にスクロールすることによって、フォーカスポイントにあるアイコンが変わり、第２レベルに存在する人固有のフォルダの数に応じて、第２レベルビューに表示される付加的なアイコンを提供することができる。フォーカスポイントを占める１５０Ｄのアイコンは、フォーカス情報ウィンドウ５０に表示された情報に関連付けられている。例えば、図１０の実施形態では、フォーカス情報ウィンドウは、人又はグループ名、フォルダ内のメディアアイテムの一部のサムネイル画像、及び同様のものを含む。
【００４４】
ユーザが人固有又はグループ固有のフォルダの個々のアイテムにアクセスすることを望む場合、ユーザは、通常垂直方向にスクロールすることによって、図１０の第２レベルビュー６０から図１１に示される第３レベルビュー１１０に移動する。第３レベル１２０は、指定された人又はグループに関する種々の情報を表わす１つ又はそれ以上のアイコンを有することになる。図１１の図示の実施例では、アイコン１６０Ａ、１６０Ｂ、及び１６０Ｃが示されており、アイコン１６０Ａがフォーカスポイント４０を占めている。第３レベル内から水平方向にスクロールすることによって、フォーカスポイントにあるアイコンが変わり、第３レベルビューに表示される付加的な人又はグループに関するアイコンを提供することができる。フォーカスポイントを占める１６０Ａのアイコンは、フォーカス情報ウィンドウ５０に表示される大きな画像のサムネイル画像である。フォーカス情報ウィンドウは、人又はグループについての通信履歴に関する情報を含む。例えば、通信履歴は、個人又はグループに送られた通信の数、タイプ毎の通信の概要、又は同様のものを含むことができる。
【００４５】
通信履歴アイコンに加えて、人フォルダの第３レベルは、共有アイテムアイコン及び公開タイムラインアイコンを含むことができる。共有アイテムアイコンは、ユーザと個人間で共有されたメディアアイテムを含む共有メディアアイテムフォルダに関連付けられている。共有は、プライベート（すなわち、電子メール、ＭＭＳ、又は同様のものを介して交換される）にすることができ、或いは、公開（すなわち、公的にアクセス可能なサーバー又は同様のものに記憶される）とすることができる。ＵＩアプリケーション内の別のレベルは、共有メディアアイテムへのアクセスを可能にする。公開タイムラインアイコンは、インターネットなどの公衆ネットワークを介してアクセスされる公開サーバーのような公開タイムラインと通信する人に関係したメディアアイテム又はグループに関係したメディアアイテムに関連付けられる。ＵＩアプリケーション内の別のレベルは、公開タイムラインと通信する人又はグループに関係したメディアアイテムへのアクセスを可能にする。
【００４６】
図１１、特にフォーカスポイント４０を占める通信履歴アイコン１６０Ａを参照すると、ＵＩアプリケーションのユーザが通信履歴及び／又は人若しくはグループに関するより多くの情報を望む場合、ユーザは、垂直方向上向きにスクロールし、実際には図１２の第４レベルビュー１７０に示されるように次のレベルまで上に移動することができる。図１２に示されるフルスクリーン通信履歴１８０は、最後のコンタクト日付／時間、タイプ毎（すなわち、メッセージ、電話呼び出し、画像など）の通信／メディアアイテムの概要、及び同様のものなどの通信履歴情報を提供する。更に、フルスクリーンの通信履歴は、個人のアドレス、電話番号（又は複数の電話番号）、家族の名前、及び同様のものなどの連絡先及び／又は個人情報を含むことができる。ユーザは、フルスクリーンの通信履歴を垂直方向にスクロールし、フルスクリーンビューでより多くの情報を表示することができる。
【００４７】
図１３は、本発明の実施形態によるメディア管理ＵＩアプリケーション内のフォルダにおけるレベルの流れの実施例を示す。図示の実施例では、エントリレベル又は第１レベルは、タイムラインフォルダ２００、メディアアルバムフォルダ３００、及び人フォルダ４００を含む。ＵＩアプリケーションの第１レベルは、より多い又はより少ないフォルダもしくはメディアアイテムを含むことができ、第１レベルに存在するフォルダの数は通常、ユーザの好み、又はメディア管理アプリケーションの標準的構成によって決まることになる点に留意されたい。
【００４８】
タイムラインフォルダ２００は、メディアアイテムタイムライン２１０を含む第２レベルへのアクセスを可能にする。メディアアイテムタイムラインは、タイムライン方式で配置された個々のメディアアイテム用のアイコンを含む。メディアアイテムタイムラインは、メディアアイテムタイムラインにおけるアイテムのいずれか１つのフルスクリーン２２０表示を含む第３レベルへのアクセスを可能にする。
【００４９】
メディアアルバムフォルダ３００は、個々のアルバム３１０を含む第２レベルへのアクセスを可能にする。個々のアルバムは、第２レベルに表示されたアイコンによって表わされ、アルバムのコンテンツへのアクセスは、フォーカスポイントを通じて提供される。個々のアルバムは、各アルバムについてメディアアイテムコンテンツ３２０を含む第３レベルへのアクセスを可能にする。メディアアイテムコンテンツは、アルバムに含まれた各メディアアイテムのアイコンを含む。アルバム内の各メディアアイテムは、メディアアイテムタイムラインにおけるアイテムのいずれか１つのフルスクリーン３３０表示を含む第４レベルへのアクセスを可能にする。
【００５０】
人フォルダ４００は、個々の人又はグループファイル４１０を含む第２レベルへのアクセスを可能にする。個々の人又はグループのファイルは、第２レベルに表示されたアイコンによって表わされ、ファイルのコンテンツへのアクセスは、フォーカスポイントを通じて提供される。個々の人又はグループのファイルは、通信履歴ファイル４２０、共有アルバムファイル４３０、及び公開タイムラインエントリ４４０を含むことができる第３レベルへのアクセスを可能にする。通信履歴ファイル４２０は通常、通信の数、通信のタイプに関する概要を含む、ユーザと指定された人との間の通信に関する情報を含む。更に、通信履歴ファイルは、指定された人に関連する連絡先又は個人情報を含むことができる。フォーカス情報ウィンドウは、通信ウィンドウのディスプレイを提供し、フルスクリーン通信履歴４５０の第４レベル表示などの追加情報を提供するために拡大することができる。
【００５１】
共有アルバムファイル４３０は、第４レベルへのアクセスを可能にし、該レベルは通常、ユーザと指定された人との間で公開又はプライベート或いはその両方で共有される共有メディアアイテム４６０を含む。各個々の共有メディアアイテムは、共有メディアアイテムのフルスクリーン４７０表示を含む第５レベルへのアクセスを可能にする。公開タイムラインファイル４４０は、指定された人に関連する公開で利用可能なメディアアイテムのタイムライン４８０を含む第４レベルへのアクセスを可能にする。タイムラインは、タイムライン方式で配置された個々のメディアアイテムのアイコンを含む。公開で利用可能なメディアアイテムのタイムラインは、選択されたメディアアイテムのフルスクリーン４９０表示を含む第５レベルへのアクセスを可能にする。
【００５２】
図１４−１６は、本発明の実施形態に従って検索機能を強調するメディア管理ＵＩアプリケーションのスクリーンショット又はビューを図示している。図１４の図示では、検索エントリビュー５００は、検索エントリフィールド５１０を提供し、該フィールドは通常、何らかの英数字キーのキー打ちによってなどのユーザ起動によってディスプレイ上に生成される。検索エンジンフィールドは、上述のメディア管理ビュー内のメディアアイテム分類レベルの内在する１つ又はそれ以上に重なるように表示することができる。検索は通常、ＵＩアプリケーションのユーザが現在属しているレベル上のフォルダ、コレクション、データベース、アルバム、又は同様のものなどの選択されたメディアアイテム内で行われる。例えば、ユーザが個々の人ファイル内に検索を限定することを所望する場合、ユーザは、適切なレベルにアクセスし、個々の人ファイルの固有のアイコンをフォーカスポイントにまでスクロールし、次いで検索機能を起動する。同じくこれに関して、ユーザが全メディアアイテムデータベースの検索を行うことを所望する場合、ユーザは、ベースレベル又は第１レベルにアクセスし、その固有のアイコンをフォーカスポイントにまでスクロールし、次いで、検索機能を起動する。
【００５３】
図示の実施形態では、検索エントリフィールドは、ブール（Ｂｏｏｌｅａｎ）タイプの検索を行う標準キーワード検索機能であるが、キーワード検索に限定されない検索の他のタイプもまた、本明細書で開示される本発明の概念から逸脱することなく設けることができる。ユーザは、適切なキーワードを入力し、検索起動アイコン５２０を介して検索を起動する。検索の起動は、図１５に示されるような検索結果ビューの表示を生じる。
【００５４】
図１５の検索結果ビュー６００は、水平方向のバーの形式で表示される検索結果レベル６１０を設けており、該バーは、検索機能を起動する前にユーザによってアクセスされていた前のレベル６２０に隣接して位置付けられる。検索結果レベルは、各々が検索結果に関連付けられた１つ又はそれ以上のアイコン６３０Ａ、６３０Ｂ、及び６３０Ｃを含む。更に、検索結果レベルは、検索結果の初期表示時に、通常フォーカスポイント４０を占める検索結果情報アイコン６４０を含む。検索結果情報アイコンは、情報アイコンがフォーカスポイントを占める場合に、フォーカス情報ウィンドウ５０内に表示される検索結果情報を提供する。図示の実施形態では、フォーカス情報ウィンドウは、検索語、検索結果の総数、及びメディアアイテムタイプ毎の検索結果の概要を含む。追加情報はフォーカス情報ウィンドウに含むことができ、通常は、垂直スクロール機能を提供することによってウィンドウ内に表示される。
【００５５】
フォーカス情報ウィンドウ５０の検索結果情報は通常、検索結果を絞る別のレベルを表示できるように選択可能である。例えば、図１５の図示では、「画像」エントリをスクロールして選択し、画像ファイルだけに限定された検索結果を表示することができる。図１６は、フォーカス情報ウィンドウ５０内の情報からのエントリの選択により生じる検索結果ビュー７００を図示している。初期検索結果レベル６１０に隣接して位置付けられる第２検索結果レベル７１０が表示される。第２検索結果レベルは、フォーカス情報ウィンドウから選択されたファイルタイプの個々の検索結果に各々が関連付けられた１つ又はそれ以上のアイコン７２０Ａ、７２０Ｂ、７２０Ｃ、及び７２０Ｄを含む。図示の実施形態では、ユーザは、フォーカス情報ウィンドウから「画像」を選択しており、従って、第２検索結果レベルは、検索語を含む画像ファイルに限定される。アイコン７２０Ａはフォーカスポイント４０を占め、フォーカス情報ウィンドウに関連付けられている。このビュー内のフォーカス情報ウィンドウは通常、画像ファイルの拡大部分とタイムスタンプを含む。
【００５６】
ＵＩアプリケーションのユーザがフォーカス情報ウィンドウ５０内に示された検索画像ファイルのフルスクリーンビューを所望する場合、ユーザは、垂直方向上向きにスクロールし、実際には次のレベルまで上に移動することができる。小さなディスプレイサイズを有するハンドヘルドデジタルデバイスでは、画像のフルスクリーン表示は通常、画像を９０゜回転させ、ディスプレイの大きさに対して画像の大きさを適合させることを含む。
【００５７】
更に、後でアクセスするために検索結果を記憶することができる。通常、図１５及び１６に図示されているオプションアイコン６４０は、検索結果を記憶するためにＵＩアプリケーションを提供するドロップダウンメニューを表示する。記憶された検索結果への後続のアクセスもまた、通常はオプションメニューによって提供される。
【００５８】
従って、本発明は、メディアアイテム及びメディアファイルへのアクセスを可能にするメディア管理ユーザインターフェース（ＵＩ）アプリケーション及び関連するデバイス並びに方法を提供し、メディアファイル内でメディアアイテムを特定するためのブラウジング及び検索機能を提供する。本発明のＵＩアプリケーションは、メディアファイルの種々のレベル又はカテゴリーの階層表示に基づいており、従って、本アプリケーションは、小さなディスプレイを有するポータブルデジタルデバイスに比類なく好適である。メディアファイルレベルの階層表示によって、ユーザはレベル間を容易にブラウズし、所要のメディアファイルを識別し、所要のメディアアイテムを特定し表示することができる。更に本発明のＵＩアプリケーションは、メディアファイル及びメディアアイテムに関連付けられている情報に基づいて実行されるキーワード検索を提供する簡単起動検索機能を提供する。従ってこのアプリケーションは、ユーザにとって極めて使い易い方法で検索結果の視覚的表示を提供し、これによってユーザは、検索結果を効率的にブラウズして所要のメディアアイテムを特定することができる。
【００５９】
一般に、本発明は、ＵＩのコマンド又はデータファイルなどのアイテムへのアクセスを可能にするユーザインターフェース（ＵＩ）及び関連のデバイス並びに方法を提供し、ＵＩ内及びデバイスのメモリにおいてアイテムを特定するためのブラウジング及び検索機能を提供する。本発明のＵＩは、アイテムの種々のレベル又はカテゴリーの階層表示に基づき、従って、本ＵＩは、小さなディスプレイを有するポータブルデジタルデバイス、或いはこれらのディスプレイを制御するための限定的な制御機能を有するデバイスに比類なく好適である。アイテムレベルの階層表示によって、ユーザは、レベル間を容易にブラウズし、所要のアイテムを識別し、所要のアイテムの特定、表示、又は起動を行うことができる。更に本発明のＵＩは、アイテムに関連付けられている情報に基づいて行われることになるキーワード検索を提供する簡単起動検索機能を提供する。従って本ＵＩは、ユーザにとって極めて使い易い方法で検索結果の視覚的表示を提供し、これによってユーザは、検索結果を効率的にブラウズしてアイテムを特定することができる。
【００６０】
本明細書に記載される本発明の多くの修正及び他の実施形態は、上記の明細書及び関連する図面に提示された教示の利益を有するこれらの発明が属する当業者には想起されるであろう。従って、本発明は、開示される特定の実施形態に限定されず、修正及び他の実施形態は、添付の請求項の範囲内に含まれるものとする点を理解されたい。本明細書では特定の用語を用いているが、これらは一般的且つ説明の意味においてのみ使用され、限定を意図するものではない。
【図面の簡単な説明】
【００６１】
【図１】本発明の実施形態によるメディア管理ユーザインターフェース（ＵＩ）アプリケーションの第１レベルタイムラインビュー又はスクリーンショットを示す図である。
【図２】本発明の実施形態によるメディア管理ＵＩアプリケーションの第２レベルタイムラインビュー又はスクリーンショットを示す図である。
【図３】本発明の実施形態によるメディア管理ＵＩアプリケーションのフルスクリーンタイムラインビュー又はスクリーンショットを示す図である。
【図４】本発明の実施形態によるメディア管理ＵＩアプリケーションの第１レベルメディアアルバムビュー又はスクリーンショットを示す図である。
【図５】本発明の実施形態によるメディア管理ＵＩアプリケーションの第２レベルメディアアルバムビュー又はスクリーンショットを示す図である。
【図６】本発明の実施形態によるメディア管理ＵＩアプリケーションの第３レベルメディアアルバムビュー又はスクリーンショットを示す図である。
【図７】本発明の実施形態による、フォーカスポイント及びフォーカス情報ウィンドウで好みのアルバムを強調表示するメディア管理ＵＩアプリケーションの第２レベルメディアアルバムビュー又はスクリーンショットを示す図である。
【図８】本発明の実施形態による、フォーカスポイント及びフォーカス情報ウィンドウで好みのアルバムを強調表示するメディア管理ＵＩアプリケーションの第３レベルメディアアルバム又はスクリーンショットを示す図である。
【図９】本発明の実施形態によるメディア管理ＵＩアプリケーションの第１レベル人ビュー又はスクリーンショットを示す図である。
【図１０】本発明の実施形態によるメディア管理ＵＩアプリケーションの第２レベル人ビュー又はスクリーンショットを示す図である。
【図１１】本発明の実施形態によるメディア管理ＵＩアプリケーションの第３レベル人ビュー又はスクリーンショットを示す図である。
【図１２】本発明の実施形態によるメディア管理ＵＩアプリケーションのフルスクリーン人ビュー又はスクリーンショットを示す図である。
【図１３】本発明の実施形態による、メディア管理ＵＩアプリケーションの各レベルのフォルダ及びファイルの種々のレベル及び関連するコンテンツの実施例を示すフロー図である。
【図１４】本発明の実施形態によるメディア管理ＵＩアプリケーションの検索入力ビュー又はスクリーンショットを示す図である。
【図１５】本発明の実施形態によるメディア管理ＵＩアプリケーションの第１レベル検索結果ビュー又はスクリーンショットを示す図である。
【図１６】本発明の実施形態によるメディア管理ＵＩアプリケーションの第２レベル検索結果ビュー又はスクリーンショットを示す図である。
【符号の説明】
【００６２】
２００  タイムラインフォルダ
２１０  タイムライン
２２０  フルスクリーン
３００  アルバムフォルダ
３１０  アルバム
３２０  アルバムコンテンツ
３３０  フルスクリーン
４００  人フォルダ
４１０  人
４２０  通信履歴
４３０  共有アルバム
４４０  公開タイムライン
４５０  フルスクリーン
４６０  アルバムコンテンツ
４７０  フルスクリーン
４８０  タイムラインエントリ
４９０  フルスクリーン
【図１】
2008515041.tif 000002
【図２】
2008515041.tif 000003
【図３】
2008515041.tif 000004
【図４】
2008515041.tif 000005
【図５】
2008515041.tif 000006
【図６】
2008515041.tif 000007
【図７】
2008515041.tif 000008
【図８】
2008515041.tif 000009
【図９】
2008515041.tif 000010
【図１０】
2008515041.tif 000011
【図１１】
2008515041.tif 000012
【図１２】
2008515041.tif 000013
【図１３】
2008515041.tif 000014
【図１４】
2008515041.tif 000015
【図１５】
2008515041.tif 000016
【図１６】
2008515041.tif 000017